(57)【特許請求の範囲】
【請求項１】
簡易な撮影機構が設けられたユニット本体に未露光の写真フイルムを予め装填し、前記ユニット本体との間に撮影機構を挟むようにして前カバーがユニット本体の前側に装着されるとともに、時計回路から出力される計時データに基づいて表示手段に撮影日時等を表示する駆動用電池を備えたデートモジュールを撮影機構と前カバーとの間に設け、前記表示手段に表示された撮影日時等を写真フイルムが１コマ撮影される毎に写真フイルムの露光画面内に写し込むレンズ付きフイルムユニットにおいて、
前記デートモジュールは、前記時計回路，表示手段の他に、シリアル通信により外部機器とデータの入出力を行うシリアル入出力インターフェースと、前記シリアル通信の初期段階で所定の認識コードが入力された場合のみにデータの入出力を許容する制御手段とを備え、前記シリアル通信により入力されたデータにより、前記時計回路の時刻合わせが行われるとともに、前記駆動用電池の一方の端子に接触される接片を前カバーの背面に設けたことを特徴とするレンズ付きフイルムユニット。
【請求項２】
前記認識コードは、製造ロット毎に変更されることを特徴とする請求項１記載のレンズ付きフイルムユニット。
【発明の詳細な説明】
【０００１】
【発明の属する技術分野】
本発明は、違法業者の再利用を防止したレンズ付きフイルムユニットに関するものである。
【０００２】
【従来の技術】
誰でも手軽に写真撮影が楽しめるように簡易な撮影機構を備えたユニット本体に予め未露光の写真フイルムを内蔵したローコストのレンズ付きフイルムユニットが本出願人より提供されている。このようなレンズ付きフイルムユニットの中には、写真フイルムの撮影画面に撮影日等を写し込むデート写し込み機能付きのものが本出願人より提案されている（特開平１０−９６９９１号公報）。
【０００３】
このレンズ付きフイルムユニットは、光透過型の極めて小さい（例えば表示面積が２ｍｍ×７ｍｍ程度）液晶パネルを有するデートモジュールを内蔵するとともに、外光を写真フイルムの乳剤面側に導く光路を設け、この途中にデートモジュールの液晶パネルを配置してある。前記光路は、レリーズ操作に連動して開閉され、液晶パネルに表示された撮影日等が写真フイルムに写し込まれる。
【０００４】
前記デートモジュールは、駆動用電池の組み込み，時計回路の時刻合わせ，時刻合わせが正しく行われたか否かの確認が行われた後、ユニット本体に組み込まれる。ところが、きわめてローコストなレンズ付きフイルムユニットに組み込まれる関係上、また小型化のため、デートモジュールに設けられているのは、写し込み用の小さな液晶パネルのみで、確認用の大きな液晶パネルは設けられていない。写し込み用の小さな液晶パネルに表示される文字は、きわめて小さいため、これを目視で確認することは事実上不可能である。また、小型のデートモジュールに時刻合わせ用のスイッチ類を設けるのも困難である。このため、前記時計回路の時刻合わせや時刻の確認は、外部のコンピュータをデートモジュールに接続し、コンピュータと、これに接続されたディスプレイとを使って行われている。
【０００５】
【発明が解決しようとする課題】
ところが、一度使ったレンズ付きフイルムユニットに未露光の写真フイルムを違法に詰め替えて販売する業者がいる。このような違法業者は、上記のようなデート写し込み機能付きレンズ付きフイルムユニットに関しても、デートモジュールの駆動用電池を交換し、パーソナルコンピュータを使って時計回路の時刻合わせ等を行ってから、販売するおそれがある。
【０００６】
本発明は上記問題点を解消するためになされたものであり、違法業者の再利用を防止したレンズ付きフイルムユニットを提供することを目的とする。
【０００７】
【課題を解決するための手段】
上記目的を達成するために、本発明のレンズ付きフイルムユニットは、簡易な撮影機構が設けられたユニット本体に未露光の写真フイルムを予め装填し、前記ユニット本体との間に撮影機構を挟むようにして前カバーがユニット本体の前側に装着されるとともに、時計回路から出力される計時データに基づいて表示手段に撮影日時等を表示する駆動用電池を備えたデートモジュールを撮影機構と前カバーとの間に設け、前記表示手段に表示された撮影日時等を写真フイルムが１コマ撮影される毎に写真フイルムの露光画面内に写し込むレンズ付きフイルムユニットにおいて、前記デートモジュールは、前記時計回路，表示手段の他に、シリアル通信により外部機器とデータの入出力を行うシリアル入出力インターフェースと、前記シリアル通信の初期段階で所定の認識コードが入力された場合のみにデータの入出力を許容する制御手段とを備え、前記シリアル通信により入力されたデータにより、前記時計回路の時刻合わせが行われるとともに、前記駆動用電池の一方の端子に接触される接片を前カバーの背面に設けたものである。
【０００９】
また、前記認識コードは、製造ロット毎に変更されるものである。
【００１０】
【発明の実施の形態】
本発明のレンズ付きフイルムユニットの外観を示す図２において、ユニット本体１０の前面には、撮影光学系としての撮影レンズ１１，ファインダ１２の対物側窓１３，ストロボ発光部１４，ストロボ発光用の充電をオン，オフするための充電操作レバー１５、集光板１６が設けられている。
【００１１】
ユニット本体１０の上面には、シャッタボタン１７，残り撮影可能コマ数を表示するカウンタ窓１８，ストロボ充電の完了を表示する表示用ライトガイド１９が突出される開口２０が設けられている。さらに、ユニット本体１０の背面側には、１コマの撮影ごとに回転操作される巻上げノブ２１の一部が露呈され、対物側窓１３に対面する位置にファインダ１２の接眼側窓２２（図３参照）が設けられている。そして、ユニット本体１０の中央には、海苔巻き状に外装ラベル２３が巻き付けられている。この外装ラベル２３には、前記撮影レンズ１１，対物側窓１３，集光板１６，カウンタ窓１８，開口２０等を露呈する各開口が設けられている。
【００１２】
ユニット本体１０の分解斜視図を示す図３において、ユニット本体１０は、本体基部２５，露光ユニット２６，ストロボユニット２７，前カバー２８，後カバー２９と、アドバンストフォトシステムのＩＸ２４０型式の写真フイルムカートリッジ３０、及びデートモジュール３１から構成されている。
【００１３】
本体基部２５には、写真フイルムカートリッジ３０のカートリッジ３０ａを収納するためのカートリッジ収納室３３と、カートリッジ３０ａから引き出されてロール状にされた未露光の写真フイルム３０ｂを収納するためのフイルムロール室３４とが一体に形成されている。カートリッジ収納室３３の上部には、巻上げノブ２１が回動自在に配されている。この巻上げノブ２１は、その下部に一体に設けられた軸がカートリッジ収納室３３に収納されたカートリッジ３０ａのスプール３５の一端に係合されている。これにより、巻上げノブ２１を図中反時計方向に回動することにより、撮影済の写真フイルム３０ｂがカートリッジ３０ａ内に巻き取られる。
【００１４】
カートリッジ収納室３３とフイルムロール室３４との間には、写真フイルム３０ｂ上に形成される露光画面の画面サイズを画定するアパーチャ３６が形成され、このアパーチャ３６の周囲には、前方に突出した遮光筒３７が設けられている。
【００１５】
露光ユニット２６は、シャッタ機構，フイルム巻き止め機構，ファインダ１２等を暗箱３８に組み付けたものである。暗箱３８の前面には、シャッタカバー３９が取り付けられ、このシャッタカバー３９の前面に取り付けられたレンズホルダ４０によって撮影レンズ１１が保持されている。この露光ユニット２６は、暗箱３８が遮光筒３７に取り付けられることにより本体基部２５に組み付けられる。これにより、暗箱３８と遮光筒３７とによって撮影レンズ１１とアパーチャ３６との間が遮光される。また、露光ユニット２６には、受け板４１を介してデートモジュール３１が組み付けられている。
【００１６】
ストロボユニット２７は、ストロボ回路基板４２と、このストロボ回路基板４２に取り付けられたストロボ発光部１４，メインコンデンサ４３，シンクロスイッチ４４，ストロボ用電池４５等から構成されている。充電操作レバー１５が上方に向けてスライドされると、この充電操作レバー１５の背面側に形成された突起で金属接片４６ａが弾性変形されて接点４６ｂに接触することにより、充電スイッチがオンとなってメインコンデンサ４３への充電が行われる。
【００１７】
シンクロスイッチ４４は、上下に配された一対の接片からなり、シャッタ機構が作動されたときにシャッタ羽根４７に一体に形成された押圧片４７ａ（図４参照）で上側の接片が押圧されて下側の接片に接触することによりオンとなる。このシンクロスイッチ４４のオンによりストロボ発光部１４からストロボ光が放出される。
【００１８】
前カバー２８には、シャッタボタン１７，ファインダ１２の対物窓１３が形成されている他、撮影レンズ１１，ストロボ発光部１４，充電操作レバー１５を露呈するための開口２８ａ〜２８ｃ等が形成されている。また、開口２８ａの近傍に形成された開口２８ｄには集光板１６がはめ込まれている。この前カバー２８は、露光ユニット２６，ストロボユニット２７，データモジュール３１が組み付けられた本体基部２５の前面側にこれらを覆うようにしてに組み付けられる。
【００１９】
後カバー２９は、カートリッジ３０ａと写真フイルム３０ｂとをカートリッジ収納室３３とフイルムロール室３４とにそれぞれ収納した本体基部２５の背面側を覆う。この後カバー２９には、その底部に底蓋２９ａ，２９ｂが形成されており、これらの底蓋２９ａ，２９ｂによってカートリッジ収納室３３とフイルムロール室３４の底部が光密に閉じられる。また、アパーチャ３６に対面する後カバー２９の部分には、撮影レンズ１１による像面湾曲にあわせた形状で湾曲されたフイルム支持面２９ｃが形成されている。
【００２０】
図１及び図４に示すように、デートモジュール３１は、モジュール基板に実装された水晶発振器４８，時計回路４９，ＬＣＤドライバ５０，液晶パネル５１，シリアル入出力インターフェース（以下シリアルＩ／Ｏ）５２，コントローラ５３及びレベルシフタ５４等の電子部品と、モジュール用電池５５と、モジュールケース５６等とから構成されている。入出力インターフェースとしてシリアルＩ／Ｏを採用したため、デートモジュール３１の小型化，ローコスト化に寄与している。
【００２１】
モジュール基板は、モジュールケース５６内に組み込まれており、モジュール用電池５５は、例えばボタン型の３Ｖのものが用いられ、モジュールケース５６の前面側に配された接片５８と、モジュール用電池５５を挟んで接片５８の反対側に設けられた接片（図示省略）とに保持され、これらの接片を介してモジュールケース５６内の各回路に電力供給を行う。
【００２２】
時計回路４９は、数年分のカレンダー情報を記憶しており、水晶発振器４８を用いて一定周期のクロック信号を発生し、このクロック信号に基づいて時間、年月日を計時し、年月日を表す年月日データや時分秒データ等の日時データを作成する。そして、この日時データに基づいてＬＣＤドライバ５０が液晶パネル５１を駆動することにより、この液晶パネル５１に写真フイルム３０ｂに写し込むべき日時、例えば現在の撮影年月日が表示される。
【００２３】
前記カレンダー情報は、本実施形態では例えば「１９９５年１月１日００時００分００秒」から「２０３０年１２月３１日２３時５９分５９秒」までとするが、例えば「１９９５年１月１日００時００分００秒」から「１９９８年１２月３１日２３時５９分５９秒」までは無表示とする。また、時計回路４９は、閏年の自動判定，月末の自動修正，２４時間制表示（０時〜２３時），１０の桁と１の桁のみの年表示等の機能を有する。
【００２４】
液晶パネル５１は、モジュールケース５６の前面側及び背面側に形成された開口から露呈され、前カバー２８に組み付けられた集光板１６の照明部１６ａに対面される。この液晶パネル５１としては、不透明な背景に白抜き（透明）な「年，月，日」、例えば「’９９    ７  ２９」等の文字を表示する透過型のものが用いられており、モジュールケース５６の前面側の開口を介して照明部１６ａからの光によって照明され、液晶パネル５１を透過した透過光がモジュールケース５６の背面側の開口からデート光として射出される。
【００２５】
液晶パネル５１の表示面積は、例えば２ｍｍ×７ｍｍときわめて小さいため、これに表示された年月日等の文字を目視で確認するのは困難である。このため、液晶パネル５１に表示される年月日等の確認は、デートモジュール３１をマイクロコンピュータ５７に接続し、このマイクロコンピュータ５７に接続されたディスプレイ５７ｂによって行われる。デートモジュール３１とマイクロコンピュータ５７との接続は、レベルシフタ５４を介したシリアルＩ／Ｏ５２とＲＳ−２３２Ｃ５７ａとが専用ケーブルにて接続される。
【００２６】
レベルシフタ５４は、シリアルＩ／Ｏ５２とパーソナルコンピュータ５７のＲＳ−２３２Ｃ５７ａとの間で動作電圧レベルの違いがある場合、ＲＳ−２３２Ｃ５７ａに合った動作電圧レベルまでシリアルＩ／Ｏ５２の動作電圧を降下または上昇させる。
【００２７】
コントローラ５３は、時計回路４９，ＬＣＤドライバ５０，シリアルＩ／Ｏ５２等を制御し、シリアルＩ／Ｏ５２を介してパーソナルコンピュータ５７から入力される各種命令コードを監視し、シリアル通信の初期段階で所定の認識コードが入力された場合にのみ、日時データの入出力を許容する。また、コントローラ５３は、モジュール用電池５５の交換やリセット命令によって時計回路４９の駆動開始日時を「１９９５年１月１日００時００分００秒」にリセットする。
【００２８】
このように構成されたデートモジュール３１は、受け板４１に取り付けられる。受け板４１の前面には、凸部４１ａ，４１ｂと、係合爪４１ｃとが形成されており、各凸部４１ａ，４１ｂによって受け板４１上でデートモジュール３１が位置決めされ、係合爪４１ｃによって固定される。なお、受け板４１の受け部４１ｄは、充電操作レバー１５の後端部を支持するためのものである。
【００２９】
受け板４１は、「フ」の字形状に突出したシャッタカバー３９の右側部３９ａに対応させた形状に切り欠かれた切欠き部４１ｅが形成されている。受け板４１は、切欠き部４１ｅが右側部３９ａにはめ込まれ、シャッタカバー３９と平面を形成するようにして露光ユニット２６に組み付けられる。受け板４１は、露光ユニット２６側に形成された位置決めピン３８ａが受け板４１側の孔４１ｆに通されることによって組み付け位置が決められ、図示しない係止爪等によって露光ユニット２６に固定される。
【００３０】
受け板４１が露光ユニット２６に組み付けられることにより、デートモジュール３１の背面側の開口から露呈された液晶パネル５１が受け板４１の切欠き部４１ｅを介して、シャッタカバー３９の右側部３９ａに形成された開口５９に対面される。なお、モジュールケース５６は、その左側部が撮影レンズ１１を保持するレンズホルダ４０の形状に合わせて扇状に切り欠かれることにより、露光ユニット２６に組み付けた際に、レンズホルダ４０よりも前方に突出しないようにしてある。
【００３１】
集光板１６は、透明なプラスチック樹脂を成形したものであり、その背面には、断面が「Ｖ」字の溝形状の照明部１６ａが形成されている。ユニット本体１０の前面側に露呈された集光板１６の表面に入射した外光は、集光板１６の内部で反射を繰返して照明部１６ａに達し、この照明部１６ａより背面側に射出される。これにより、集光板１６の広い表面で集光した外光を照明部１６ａから射出し、照明部１６ａに対面した液晶パネル５１を明るくて照明する。
【００３２】
図４に示されるように、暗箱３８の前面とシャッタカバー３９との間には、軸３８ｂによって回動自在に支持されたシャッタ羽根４７が配されている。シャッタ羽根４７は、撮影レンズ１１による被写体像の露光を制御するためのものであり、バネ６１によって撮影用シャッタ開口６２を閉じた閉じ位置に付勢されている。この撮影用シャッタ開口６２は、暗箱３８の前面中央、すなわち撮影光軸１１ａ上に設けられている。
【００３３】
シャッタ羽根４７は、その上端部４７ｂがシャッタレリーズに連動して図中右方向に移動される蹴飛ばしレバー６３によって蹴飛ばされ、軸３８ｂを中心にして時計方向に回動され、この後バネ６１によって反時計方向に回動される。このシャッタ羽根４７の１往復の揺動により、撮影用シャッタ開口６２が開閉される。この撮影用シャッタ開口６２の開閉の間に、撮影レンズ１１を透過した被写体光は、撮影用シャッタ開口６２から暗箱３８内に入射し、アパーチャ３６の背後にセットされた写真フイルム３０ｂを露光する。また、シャッタ羽根４７が撮影用シャッタ開口６２を全開したときには、押圧片４７ａによってストロボユニット２７のシンクロスイッチ４４がオンとされる。
【００３４】
暗箱３８を正面から見て、撮影用シャッタ開口６２の右上の部分には、デート用シャッタ開口６５が形成されている。また、シャッタ羽根４７の下部からは、右上方向に向かって伸びた腕部６６ａが形成され、この腕部６６ａの一端にデート用シャッタ開口６５を開閉することで、撮影日の露光を制御するデート用シャッタ部材６６が一体に形成されている。デート用シャッタ部材６６は、シャッタ羽根４７の揺動に連動してデート用シャッタ開口６５を開閉する。
【００３５】
暗箱３８内でデート用シャッタ開口６５の奥には、液晶パネル５１に表示されている撮影日を写真フイルム３０ｂ上に投影・結像させるための投影レンズ６８が配され、固定部材６９によって固定されている。
【００３６】
次に上記構成の作用について説明する。デートモジュール３１は、レンズ付きフイルムユニットのユニット本体１０に組み込まれる前に、レベルシフタ５４，シリアルＩ／Ｏ５２を介してパーソナルコンピュータ５７のＲＳ−２３２Ｃにシリアル接続される。この後、モジュールケース５６にモジュール用電池５５をセットすると、時計回路４９がリセットされ、水晶発振器４８から発生される一定周期のクロック信号に基づいて、「１９９５年１月１日００時００分００秒」から計時動作が開始される。このリセット直後、液晶パネル５１に「’９５    １１」の文字が一旦表示されるが、この１〜２秒後に液晶パネル５１は無表示となる。なお、時計回路４９のリセットは、モジュール用電池５５のセットによる他、パーソナルコンピュータ５７からのリセット命令によっても行われる。
【００３７】
次に、パーソナルコンピュータ５７を操作して、「１９９９年１月１日００時００分００秒」以降の現在の日時，例えば「１９９９年７月２９日１２時２３分００秒」の日時データをシリアル通信でコントローラ５３に転送する。このデータ転送は、図５（Ａ）に示すように、「識別コード７１」→「書込命令コード７２」→「日時データ７３」の順番に行われ、識別コード７１を最初に転送しないと、次の命令コード（「書込命令コード」や「読出命令コード」等）をコントローラ５３が受け付けないようにされている。このセキュリティプログラムは、コントローラ５３に予め組み込まれている。これにより、例え違法な詰め替え業者等がモジュール用電池５５を入れ換えても、日時データを変更できず、液晶パネル５１は無表示のままとなるから、年月日等の写し込みはできなくなる。
【００３８】
識別コード７１としては、任意の命令コードを使用できるが、本実施形態例では、例えば年月日表示命令コード（表１に示す「１１１０１０００」）を用いる。下記の表１に８ビットの命令コードの例を示す。これらの命令コードは、セキュリティ性を高めるため、例えばレンズ付きフイルムユニットの製造ロット毎に変更される。
【００３９】
【表１】
0003724776.tif 000002
【００４０】
図５（Ａ）に示すように、日時データ７３は、年データ７３ａ，月データ７３ｂ，日データ７３ｃ，時データ７３ｄ，分データ７３ｅ，秒データ７３ｆからなる。例えば年データ７３ａは、スタートビットＳＴ（＝〔０〕）と、これに続く４ビットＤ０〜Ｄ３からなる「年の１の位」を表すデータＹ１と、次の４ビットＤ４〜Ｄ７からなる「年の１０の位」を表すデータＹ２と、最後のストップビットＳＰ（＝〔１〕）とからなり、１ビットあたりの転送レートＴ１は２４００ｂｐｓ（Ｔ１＝１／２４００〔ｓｅｃ〕）としてある。その他、月データ７３ｂ等も全て同様の構造をしている。
【００４１】
コントローラ５３は、識別コード７１が入力されると、続いて書込命令コード７２及び日時データ７３を受け付ける。これにより、時計回路４９が「１９９９年７月２９日１２時２３分００秒」から動作を開始して、液晶パネル５１に「’９９    ７  ２９」の文字が表示される。
【００４２】
この後、正しい日時データ７３がコントローラ５３に転送されたか否かを確認するために、パーソナルコンピュータ５７を操作して、図５（Ｂ）に示すように、「識別コード７１」→「出力命令コード７４」の順番に各コードをコントローラ５３に転送する。コントローラ５３は、識別コード７１の入力を確認した後、出力命令コード７４を受け付け、時計回路４９から現在の日時データ７３を呼び出す。この結果、４ビット分の時間（Ｔ４＝４／２４００〔ｓｅｃ〕）経過後に、日時データ７３がパーソナルコンピュータ５７に出力され、ディスプレイ５７ｂに「’９９    ７  ２９」の文字が表示される。
【００４３】
ディスプレイ５７ｂに何も表示されない場合には、パーソナルコンピュータ５７からコントローラ５３に転送した日時データが、「１９９８年１２月３１日２３時５９分５９秒」以前であった可能性が高いから、正しい日時データ７３を再転送する。
【００４４】
また、図５（Ｃ）に示すように、パーソナルコンピュータ５７から認識コード７１の後、例えば時分表示命令コード７５がコントローラ５３に転送されると、ディスプレイ５７ｂに１２時２３分を示す「２３  １２」の文字が表示される。この時分表示は、８秒±１秒後に「’９９    ７  ２９」の年月日表示に自動復帰される。なお、時分表示命令コード７５は、スタートビットＳＴと、８ビットＤ０〜Ｄ７からなる「時分表示命令」を表すコード本体Ｃ１と、ストップビットＳＰとからなる。
【００４５】
このようにして現在の日時データが正しくセットされたデートモジュール３１は、受け板４１に取り付けられ、更に露光ユニット２６のシャッタカバー３９に取り付けられる。このデートモジュール３１付きの露光ユニット２６は、日時データのセット時に用いた命令コードに対応したロット番号のユニット本体組立ラインに搬送され、本体基部２５の前面に取り付けられる。
【００４６】
ユニット本体組立ラインでは、本体基部２５の前面に露光ユニット２６の他、ストロボユニット２７，前カバー２８が取り付けられる。本体基部２５の背面には、暗室内でカートリッジ３０ａと写真フイルム３０ｂが装填され、後カバー２９によってカートリッジ収納室３３及びフイルムロール室３４が光密に閉じられる。この後、本体基部２５の底側にストロボ用電池４５が装填され、ストロボ発光テスト等を経た後、ユニット本体１０の中央部外周面に外装ラベル２３が張りつけられ、レンズ付きフイルムユニットが完成される。
【００４７】
撮影時には、撮影者は、巻上げノブ２１を回動操作して写真フイルム３０ｂを巻き上げる。この巻き上げにより、写真フイルム３０ｂが巻き上げ方向に移送されると、これに従動してフイルム巻き止め機構を構成するスプロケットが回転する。スプロケットが所定量回転されると、フイルム巻き止め機構がスプロケットの回転と巻上げノブ２１の回転とをロックする。これにより、写真フイルム３０ｂが１コマ分だけ巻上げられ、アパーチャ３６に未露光の撮影コマがセットされる。また、スプロケットが回転している間に、シャッタ機構がシャッタチャージされる。
【００４８】
シャッタボタン１７の押圧操作が行われると、これに応答してシャッタ機構の蹴飛ばしレバー６３が勢いよく回動して、シャッタ羽根４７の上端部４７ｂが蹴飛ばされる。蹴飛ばされたシャッタ羽根４７は、バネ６１の付勢に抗して、軸３８ｂを中心に図４において時計方向に回動し、撮影用シャッタ開口６２を全開した後に、バネ６１の付勢力により反時計方向に回動して閉じ位置に戻る。この開閉中に撮影用シャッタ開口６２からは、撮影レンズ１１を通った被写体光が暗箱３８の内部に入射してアパーチャ３６にセットされた写真フイルム３０ｂを露光する。
【００４９】
また、シャッタ羽根４７の回動により、このシャッタ羽根４７と一体に形成されたデート用シャッタ部材６６が軸３８ｂを中心にして回動し、デート用シャッタ開口６５が開閉される。この開閉中には、集光板１６で集光された外光が照明部１６ａより射出されて液晶パネル５１が照明された状態にあり、この液晶パネル５１を透過して作成されたデート光がシャッタカバー３９の開口５９を介してデート用シャッタ開口６５から暗箱３８の内部に入射する。暗箱３８の内部に入射したデート光は、投影レンズ６８により写真フイルム３０ｂの一部に結像される。これにより、液晶パネル５１で表示されている現在の撮影日が被写体像と重複して露光される。
【００５０】
ストロボ撮影を行う場合には、シャッタボタン１７を押下操作する前に、ストロボ充電操作レバー１５を上方にスライド操作して、メインコンデンサ４３を充電しておく。ランプの点灯を確認してから、シャッタボタン１７を押下操作すれば、シャッタ羽根４７の揺動中にシンクロスイッチ４４がオンしてストロボ発光部１４からストロボ光が被写体に向けて照射される。被写体で反射したストロボ光は、写真フイルム３０ｂに結像されるとともに、集光板１６にも入射し、デート光が作成される。このデート光は前述したと同様に写真フイルム３０ｂに露光される。
【００５１】
以下、前述した撮影を繰り返すことで、写真フイルム３０ｂの各撮影コマには、被写体像が写し込まれるとともに、露光画面範囲の一部に撮影日が写し込まれる。最後の撮影コマに撮影を完了した後には、フイルムカウンタ機構がフイルム巻き止め機構の作動を禁止する。これにより、フイルム巻き止めが作動しないから、フイルム巻き上げ操作によって全部の撮影済みの写真フイルム３０ｂがカートリッジ３０ａの内部に巻き込まれる。
【００５２】
撮影済みのレンズ付きフイルムユニットは、現像所に提出され、ここで、露光済みの写真フイルム３０ｂを収納したカートリッジ３０ａが取り出される。取り出したカートリッジ３０ａから写真フイルム３０ｂが引き出され、フイルムプロセッサにセットされて現像される。現像済みの写真フイルム３０ｂは、次のプリンタプロセッサにかけられ、撮影日が記録されたプリント写真が作成される。
【００５３】
使用済みのユニット本体１０は、通常はレンズ付きフイルムユニットのメーカーに集められ、露光ユニット２６やストロボユニット２７等の再使用対象部品と、本体基部２５や前カバー２８，後カバー２９等のリサイクル対象部品とに分けられる。再使用対象部品は、検査を受けて合格したものだけが再使用され、その他のものは分解され、更に再使用可能なものと溶解または廃棄されるものとに分けられる。リサイクル対象部品は、溶融されてペレット化され、再び前カバーや後カバー等の成形に使用される。
【００５４】
使用済みのユニット本体１０が詰め替え業者に渡ると、ストロボ用電池４５，モジュール用電池５５，写真フイルムカートリッジ３０及び外装ラベル２３が新しいものに交換され、別のレンズ付きフイルムユニットとして違法に販売されるおそれがある。しかしながら、詰め替え業者がモジュール用電池５５を新しいものに取り替えると、日時データが「１９９５年１月１日００時００分００秒」にリセットされ、そのままでは液晶パネル５１に何も表示されず、撮影画面へのデート写し込みは行われない。
【００５５】
また、詰め替え業者がパーソナルコンピュータを使ってデートモジュール３１の日時データを変更しようとしても、製造ロット毎に変更される識別コード７１を特定するのは事実上不可能である。したがって、日時データを現在の日時にセットすることができず、デートモジュール３１及びこれを用いたレンズ付きフイルムユニットが違法に再使用されることが防止される。
【００５６】
また、使用済みのレンズ付きフイルムユニットが違法な詰め替え業者に渡った場合、ユニット本体１０が分解される際にモジュール用電池５５からデートモジュール３１のモジュール回路への通電が必ず解除され、デートモジュール３１をリセットせざるを得なくなるようにユニット本体１０を構成するのが望ましい。この構成例としては、例えば前カバー２８の背面に接片５８を一体的に設けることが考えられる。このようにすると、前カバー２８をユニット本体１０から分離した際に、モジュール用電池５５と接片５８との接触が解除され、モジュール用電池５５からデートモジュール３１のモジュール回路への通電が解除される。
【００５７】
なお、最終コマの撮影が終了した後の巻上げ操作により、写真フイルムカートリッジ３０の遮光蓋が閉じられる機構がユニット本体１０に設けられているが、写真フイルムを新しいものに詰め替える際には、この機構を元の状態に戻したり、露光ユニット２６のカウンタ機構や巻き止め機構を初期位置に戻す操作が必要となるため、前カバー２８をユニット本体１０から分離する必要がある。
【００５８】
また、上記実施形態に挙げたカレンダー情報等のデータは一例であって、これらの数値によって本発明が限定されるものでないのは勿論である。また、上記実施形態では、液晶パネルを時分表示しても所定時間の経過後に年月日表示に復帰するようにしたが、そのまま時分を写真フイルムに写し込むようにしてもよく、また、年月日と時分を同時に並列もしくは上下２列にして表示して両方を写真フイルムに写し込んでもよい。
【００５９】
また、上記実施形態では、表示パネルとして透過型の液晶パネルを用い、これを外光で照明してデート光を得ているが、ストロボ光の一部をライトガイドに直接に入射させて導光した光で液晶パネルを照明したり、撮影毎に点灯するライトをデートモジュールに内蔵しこれで照明してもよい。また、表示パネルとして、自ら光を放出する電子表示手段、例えば複数の発光ダイオードを「８」の字状に並べたものを複数個備えたものであってもよい。なお、このような照明用のランプを用いる場合や電子表示手段を用いる場合は、シャッタ羽根の動作に同期させてランプあるいは電子表示手段を点灯するようにすれば、特にデータの露光を制御するシャッタ部材がなくてもよい。
【００６０】
また、上記実施形態は、シリアル通信でデータの入出力を行うようにしたが、本発明はこれに限定されることなく、パラレル通信（例えば８ビット単位）でデータの入出力を行ってもよい。この場合には、シリアル通信より高速にデータの入出力を行うことができる反面、伝送線路が複数本必要となるため、コスト高になるとともにインターフェースが大型化するという欠点を有する。このため、ローコストかつ小型であることが大前提のレンズ付きフイルムユニットに用いるには、シリアル通信の方が有利である。
【００６１】
【発明の効果】
以上に述べたように、本発明のレンズ付きフイルムユニットによれば、時計回路の時刻合わせ等をシリアル通信によるデータ入出力で行うとともに、シリアル通信の初期段階で所定の認識コードが入力された場合にのみデータ入出力を許容するデートモジュールを内蔵し、撮影日等を写真フイルムの露光画面に写し込むようにしたので、ローコストに違法業者による時計回路の時刻合わせ等が防止でき、違法な再利用が防止できる。また、シリアル入出力インターフェースを用いるため、レンズ付きフイルムユニットの大型化を防止できる。また、駆動用電池の一方の端子に接触される接片を前カバーの背面に設けたので、前カバーをユニット本体から分離した際に、駆動用電池と接片との接触が解除され、駆動用電池からデートモジュールのモジュール回路への通電が解除される。この結果、デートモジュールをリセットせざるを得なくなり、違法な再利用が防止できる。
【００６２】
また、認識コードは製造ロット毎に変更されるようにしたので、さらに認識コードの特定が困難になって、より確実に違法業者の再利用を防止できる。
【図面の簡単な説明】
【図１】デートモジュールの概略構造を示すブロック図である。
【図２】レンズ付きフイルムユニットの外観を示す斜視図である。
【図３】ユニット本体の構成を示す分解斜視図である。
【図４】露光ユニットとデートモジュールを示す斜視図である。
【図５】デートモジュールに転送されるシリアルデータの構成を示す説明図である。
【符号の説明】
１０  ユニット本体
３１  デートモジュール
４９  時計回路
５１  液晶パネル
５５  モジュール用電池
７１  識別コード
７３  日時データ
【図１】
0003724776.tif 000003
【図２】
0003724776.tif 000004
【図３】
0003724776.tif 000005
【図４】
0003724776.tif 000006
【図５】
0003724776.tif 000007